(57)【要約】【課題】箱本体にカバーを容易に取り付けることができる電気接続箱を提供する。【解決手段】電気接続箱１は箱本体２とカバー３と突起４と溝５とを備えている。箱本体２は電気部品を装着する底壁とこの底壁から立設した複数の周壁７と周壁７の外面から凸の係止突起を備えている。カバー３は天井壁と天井壁から立設した複数の第２の周壁１５と第２の周壁１５に設けられた係止片を備えている。突起４は周壁７の外面から凸である。溝５は第２の周壁１５に設けられた突部２０の内面から凹に形成されている。係止突起と係止片とが係止して箱本体２とカバー３とが互いに取り付けられる。箱本体２とカバー３とが互いに取り付けられる際に溝５内に突起４が侵入する。【選択図】図１２
2005269861.tif 000002
【特許請求の範囲】
【請求項１】
複数の周壁を備えた箱本体と、複数の第２の周壁を備えたカバーとを、備え、前記周壁と第２の周壁との少なくとも一部が互いに重なった格好で、前記箱本体とカバーとを互いに嵌合させる電気接続箱において、
前記周壁と前記第２の周壁のうち一方から凸の突起と、
前記周壁と前記第２の周壁のうち他方に設けられた溝とを、備え、
前記箱本体と前記カバーとが互いに嵌合する際に、前記突起が前記溝内に侵入することを特徴とする電気接続箱。
【請求項２】
互いに嵌合すると、前記箱本体と前記カバーとは、互いに重なるとともに、
前記突起は、前記箱本体と前記カバーとが互いに重なる方向に沿って直線状に延びていることを特徴とする請求項１記載の電気接続箱。
【請求項３】
前記突起は、前記箱本体と前記カバーとのうち一方に設けられ、
前記溝は、前記箱本体と前記カバーとのうち他方に設けられ、
前記突起の前記箱本体と前記カバーとのうち他方寄りの先端部には、前記箱本体と前記カバーとのうち他方に向かうにしたがって徐々に先細となる先細部が設けられ、
前記溝の前記箱本体と前記カバーとのうち一方寄りの先端部には、前記箱本体と前記カバーとのうち一方に向かうにしたがって徐々に開口が拡がる拡大部が設けられていることを特徴とする請求項１又は請求項２に記載の電気接続箱。
【請求項４】
前記箱本体の周壁には、パネルに取り付けられる取付部と、前記周壁と前記取付部とに連なりかつ前記周壁から凸の補強リブと、が設けられ、
前記突起は、前記箱本体の周壁に設けられ、前記補強リブに連なっていることを特徴とする請求項１乃至請求項３のうちいずれか一項に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１参照）とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、この箱本体に取り付けられる電装ブロックと、カバーなどを備えている。箱本体は、箱状に形成されている。電装ブロックは、前記箱本体に取り付けられるヒューズ、リレー、コネクタなどの電気部品と、電線の端末に取り付けられた端子金具とを備えている。前述したヒューズ、リレー、コネクタなどの電気部品のうち一部は、前記箱本体に圧入されることで、この箱本体に装着される。
【０００６】
端子金具は、前述した箱本体に取り付けられて、この箱本体に取り付けられた電気部品の端子と、電気的及び機械的に接続する。前記端子金具は、電線と電気部品とを電気的に接続する。端子金具に取り付けられた電線は、前述した電子機器と接続している。前述した構成の電気接続箱は、端子金具が取り付けられた電線と、前述したリレーやヒューズなどの電気部品とを予め定められるパターンにしたがって、電気的に接続する。
【０００７】
カバーは、前記箱本体に取り付けられる。カバーは、箱本体に取り付けられると、この箱本体に取り付けられた前述したヒューズ、リレー、コネクタなどの電気部品を覆う。
【０００８】
前述した電気接続箱は、箱本体に端子金具を取り付けた後、更に、ヒューズ、リレー、コネクタなどの電気部品を取り付ける。そして、箱本体に前述したカバーを取り付けて、前述した構成の電気接続箱は、組み立てられる。
【特許文献１】特開２００１−３７０５０号公報
【発明の開示】
【発明が解決しようとする課題】
【０００９】
前述した従来の電気接続箱は、電気部品の箱本体への取り付け状態が不完全である場合に、箱本体にカバーを取り付けると、このカバーで電気部品を箱本体に圧入する。そして、電気接続箱は、カバーで電気部品を箱本体に圧入しながら、このカバーが箱本体に取り付けられる。
【００１０】
このため、前述した電気部品を箱本体に圧入する際にかかる力が強い場合には、特に、カバーを箱本体に取り付ける場合に、電気部品からの反力で、箱本体とカバーとが位置ずれしやすくなる。このため、カバーで電気部品を圧入しながら、カバーを箱本体に取り付けることが困難となる傾向であった。このように、前述した従来の電気接続箱は、カバーを箱本体に取り付けにくくなることがあった。
【００１１】
したがって、本発明の目的は、箱本体にカバーを容易に取り付けることができる電気接続箱を提供することにある。
【課題を解決するための手段】
【００１２】
前記課題を解決し目的を達成するために、請求項１に記載の本発明の電気接続箱は、複数の周壁を備えた箱本体と、複数の第２の周壁を備えたカバーとを、備え、前記周壁と第２の周壁との少なくとも一部が互いに重なった格好で、前記箱本体とカバーとを互いに嵌合させる電気接続箱において、前記周壁と前記第２の周壁のうち一方から凸の突起と、前記周壁と前記第２の周壁のうち他方に設けられた溝とを、備え、前記箱本体と前記カバーとが互いに嵌合する際に、前記突起が前記溝内に侵入することを特徴としている。
【００１３】
請求項２に記載の本発明の電気接続箱は、請求項１記載の電気接続箱において、互いに嵌合すると、前記箱本体と前記カバーとは、互いに重なるとともに、前記突起は、前記箱本体と前記カバーとが互いに重なる方向に沿って直線状に延びていることを特徴としている。
【００１４】
請求項３に記載の本発明の電気接続箱は、請求項１又は請求項２記載の電気接続箱において、前記突起は、前記箱本体と前記カバーとのうち一方に設けられ、前記溝は、前記箱本体と前記カバーとのうち他方に設けられ、前記突起の前記箱本体と前記カバーとのうち他方寄りの先端部には、前記箱本体と前記カバーとのうち他方に向かうにしたがって徐々に先細となる先細部が設けられ、前記溝の前記箱本体と前記カバーとのうち一方寄りの先端部には、前記箱本体と前記カバーとのうち一方に向かうにしたがって徐々に開口が拡がる拡大部が設けられていることを特徴としている。
【００１５】
請求項４に記載の本発明の電気接続箱は、請求項１ないし請求項３のうちいずれか一項に記載の電気接続箱において、前記箱本体の周壁には、パネルに取り付けられる取付部と、前記周壁と前記取付部とに連なりかつ前記周壁から凸の補強リブと、が設けられ、前記突起は、前記箱本体の周壁に設けられ、前記補強リブに連なっていることを特徴としている。
【００１６】
請求項１に記載した本発明の電気接続箱によれば、箱本体とカバーとを嵌合する際に、突起が溝内に侵入するので、箱本体とカバーとが位置ずれすることを防止できる。
【００１７】
請求項２に記載した本発明の電気接続箱によれば、突起が、箱本体とカバーとが重なる方向に沿って直線状に延びているので、突起の溝内に侵入する部分の長さが長くなって、箱本体とカバーとが位置ずれすることを確実に防止できる。
【００１８】
請求項３に記載した本発明の電気接続箱によれば、突起の先端部に先細部が設けられ、溝の先端部に拡大部が設けられている。このため、箱本体とカバーとを嵌合する際に、これら箱本体とカバーとが若干位置ずれしても、先端部と拡大部とが当接して、これらの先端部と拡大部が、溝内に突起を案内する。このため、箱本体とカバーとを嵌合する際に、突起が溝内に確実に侵入して、箱本体とカバーとが位置ずれすることを確実に防止できる。
【００１９】
請求項４に記載した本発明の電気接続箱によれば、突起が補強リブに連なっている。このため、突起の剛性を向上させることができ、溝内に侵入した突起が弾性変形などをして、箱本体とカバーとを嵌合する際に、これらが位置ずれすることを確実に防止できる。また、箱本体即ち電気接続箱の小型化を図ることができる。
【発明の効果】
【００２０】
以上説明したように請求項１に記載の本発明は、箱本体とカバーとを嵌合する際に、箱本体とカバーとが位置ずれすることを防止できる。このため、箱本体とカバーとを嵌合する際に、これらの箱本体とカバーとががたつくことを防止でき、これらの箱本体とカバーとを容易に嵌合することができる。
【００２１】
請求項２に記載の本発明は、突起の溝内に侵入する部分の長さが長くなって、箱本体とカバーとが位置ずれすることを確実に防止できる。したがって、箱本体とカバーとががたつくことを確実に防止でき、箱本体とカバーとをより容易に嵌合することができる。
【００２２】
請求項３に記載の本発明は、箱本体とカバーとを嵌合する際に、先端部と拡大部とが溝内に突起を案内する。このため、箱本体とカバーとを嵌合する際に、突起が溝内に確実に侵入して、箱本体とカバーとが位置ずれすることを確実に防止できる。したがって、箱本体とカバーとががたつくことをより確実に防止でき、箱本体とカバーとをより容易に嵌合することができる。
【００２３】
請求項４に記載の本発明は、突起の剛性を向上させることができるので、溝内に侵入した突起が弾性変形などをして、箱本体とカバーとが位置ずれすることを確実に防止できる。したがって、箱本体とカバーとががたつくことをより一層確実に防止でき、箱本体とカバーとをより一層容易に嵌合することができる。また、箱本体即ち電気接続箱の小型化を図ることができる。
【発明を実施するための最良の形態】
【００２４】
以下、本発明の一実施形態にかかる電気接続箱を図１ないし図１８に基づいて説明する。本実施形態にかかる図１に示す電気接続箱１は、移動体としての自動車に搭載される。電気接続箱１は、図１ないし図４に示すように、箱本体２と、図示しない複数の電気部品と、カバー３と、突起４（図１１ないし図１３に示す）と、溝５（図１１ないし図１３に示す）とを備えている。
【００２５】
箱本体２は、絶縁性の合成樹脂からなり、周知の射出成形により成形される。箱本体２は、図６に示すように、底壁６と、この底壁６の外縁から立設した複数の周壁７と、複数の係止突起８と、取付部９と、補強リブ１０を一体に備えて、箱状に形成されている。底壁６の平面形状は、図６に示すように、矩形状に形成されている。
【００２６】
底壁６の図９及び図１０中の上方に位置する一方の表面には、前述した電気部品を装着する電気部品装着部１１が複数設けられている。また、底壁６の図９及び図１０中の下方に位置する他方の表面には、前述した電気部品と接続する電線付き端子金具を装着する端子金具装着部が複数設けられている。
【００２７】
周壁７は、底壁６の外縁から前述した一方の表面側と他方の表面側との双方に向かって立設している。このため、複数の周壁７は、前述した電気部品装着部１１と端子金具装着部とを囲んでいる。
【００２８】
係止突起８は、図示例では、二つ設けられている。係止突起８は、図９に示すように、底壁６即ち箱本体２の長手方向の両端に位置する周壁７それぞれに設けられている。係止突起８は、前述した周壁７の外面から凸に形成されている。
【００２９】
取付部９は、図９及び図１０に示すように、一方の係止突起８（以下、符号８ａで示す）が設けられた周壁７（図６及び図９では右側、図１０では手前側に位置する）の前述した電気部品装着部１１から離れた側の縁部７ａから箱本体２の外側に向かって延在した板状に形成されている。取付部９の表面は、前述した底壁６の表面と平行である。取付部９には、図６に示すように、図示しないボルトが通る孔１２が設けられている、取付部９は、孔１２内に通ったボルトが自動車の車体を構成するパネルなどにねじ込まれることで、前述したパネルに取り付けられる。
【００３０】
補強リブ１０は、前述した一方の係止突起８ａが設けられた周壁７の外面から凸に形成されており、箱本体２とカバー３とが互いに取り付けられて、これらが互いに重なる方向（図１などに矢印Ｋで示す）に沿って直線状に延びている。なお、矢印Ｋは、後述の天井壁１４と底壁６とが相対する方向をなしている。このため、本明細書では、天井壁１４と底壁６とが相対する方向即ちこれらの天井壁１４と底壁６に直交（交差）する方向をカバー３と箱本体２とが互いに重なる方向としている。また、補強リブ１０は、一端が前述した取付部９に連なっている。このため、補強リブ１０は、前述した周壁７と取付部９との双方に連なり、前述の周壁７から凸に形成されている。
【００３１】
複数の電気部品として、本実施形態では、図示しない周知のコネクタと、ヒューズと、リレーと、ヒュージブルリンクなどが用いられている。これらのコネクタと、ヒューズと、リレーと、ヒュージブルリンクなどの電気部品は、所定の電気部品装着部１１に取り付けられる。
【００３２】
カバー３は、絶縁性の合成樹脂からなり、周知の射出成形により成形される。カバー３は、図５、図７及び図８に示すように、天井壁１４と、この天井壁１４の外縁から立設した複数の第２の周壁１５と、複数の係止片１６と、を備えて、箱状に形成されている。天井壁１４は、カバー３が箱本体２に取り付けられると、底壁６と間隔をあけて相対する。天井壁１４の平面形状は、図５に示すように、略矩形状に形成されている。第２の周壁１５は、天井壁１４の外縁から互いに同方向に立設している。
【００３３】
係止片１６は、図示例では、二つ設けられている。係止片１６は、天井壁１４即ちカバー３の長手方向の両端に位置する第２の周壁１５それぞれに設けられている。カバー３が箱本体２に取り付けられる際に、係止片１６は、前述した第２の周壁１５から箱本体２に向かって延びている。係止片１６には、孔１７が設けられている。係止片１６は、孔１７内に係止突起８を位置付けることで、係止突起８に係止する。
【００３４】
前述した係止突起８と係止片１６とが互いに係止することで、箱本体２とカバー３とが互いに取り付けられる。箱本体２のカバー３とが取り付けられると、図１１及び図１２に示すように、第２の周壁１５の内側に周壁７が位置する。さらに、図１１及び図１２に示すように、周壁７の電気部品装着部１１寄りの縁部７ｂと、第２の周壁１５の天井壁１４から離れた側の縁部１５ａとが互いに重なる。このように、箱本体２と、カバー３とを互いに取り付けると、周壁７と第２の周壁１５との少なくとも一部が互いに重なる。
【００３５】
突起４は、図９及び図１０に示すように、前述した取付部９が設けられかつ箱本体２とカバー３とを取り付ける際に回転中心をなす一方の係止突起８ａが設けられた箱本体２の周壁７の外面から凸に形成されている。突起４は、前記周壁７の電気部品装着部１１寄りの縁部７ｂに設けられている。突起４は、前述の縁部７ｂから前述した矢印Ｋに沿って直線状に延びている。突起４の一端は、補強リブ１０の他端に連なっている。このため、突起４は、補強リブ１０に連なっている。
【００３６】
また、突起４の電気部品装着部１１寄り即ちカバー３寄りの先端部４ａには、図１２に示すように、先細部１８が設けられている、先細部１８は、電気部品装着部１１即ちカバー３に向かうにしたがって、突起４を徐々に細くするテーパ面１９を備えている。このため、先細部１８は、カバー３に向かうにしたがって、突起４を徐々に細くする。テーパ面１９は、突起４のカバー３と相対する端面と、周壁７と平行な平行面とに亘って形成されている。
【００３７】
溝５は、箱本体２とカバー３とを取り付ける際に回転中心をなすカバー３の一方の係止片１６（以下、符号１６ａで示す）が設けられた第２の周壁１５（図５及び図７では右側、図１８では手前側に位置する）の前述した天井壁１４から離れた側の縁部１５ａに設けられている。溝５は、前述したカバー３の第２の周壁１５の縁部１５ａの外面から凸の突部２０の内面に設けられている。溝５は、勿論、図１１及び図１２に示すように、突部２０の内面から凹に形成されている。また、溝５は、図１３に示すように、前述した矢印Ｋに沿って直線状に延びている。
【００３８】
また、溝５の天井壁１４から離れた即ち箱本体２寄りの先端部５ａには、図１２に示すように、拡大部２１が設けられている、拡大部２１は、箱本体２に向かうにしたがって、溝５の開口を徐々に拡大する即ち溝５を徐々に拡げるテーパ面２２を備えている。このため、拡大部２１は、箱本体２に向かうにしたがって、溝５を徐々に拡げる。テーパ面２２は、突部２０の溝５の底部に設けられている。
【００３９】
前述した箱本体２とカバー３とが互いに取り付けられる際即ち箱本体２とカバー３とが互いに嵌合する際に、図１１ないし図１３に示すように、溝５内に突起４が侵入する。
【００４０】
前述した構成の電気接続箱１は、以下のように組み立てられる。まず、各端子金具に電線を取り付ける。電線付きの端子金具を箱本体２の端子金具装着部に装着し、電気部品装着部１１に前述したコネクタ、ヒューズ、リレー、ヒュージブルリンクなどの電気部品を装着する。そして、図１４に示すように、前述した突起４を設けた周壁７に設けられた一方の係止突起８ａを、溝５を設けた第２の周壁１５に設けられた一方の係止片１６ａの孔１７内に位置付け、他方の係止突起８ｂを設けた周壁７と、他方の係止片１６ｂを設けた第２の周壁１５とを互いに離しておく。なお、図１４では、各電気部品と端子金具に取り付けられた電線とを省略している。また、図１４に示す状態では、図１５に示すように、突起４が殆ど溝５内に侵入していない。
【００４１】
そして、図１４中の矢印Ｓに沿って、前述した突起４と溝５を設けた側の係止突起８ａと係止片１６ａとを中心として、他方の係止突起８ｂを設けた周壁７と、他方の係止片１６ｂを設けた第２の周壁１５とを互いに近づける。すると、図１６に示すように、溝５内に突起４が徐々に侵入していく。そして、図３及び図４に示すように、前述した他方の係止突起８ｂと係止片１６ｂとが互いに係止する。こうして、長手方向の一方の端を中心として、箱本体２とカバー３とが互いに嵌合する。
【００４２】
箱本体２からカバー３を取り外す際には、図３中の矢印Ｔに沿って、他方の係止片１６ｂを周壁７及び第２の周壁１５から遠ざけて、他方の係止片１６ｂと他方の係止突起８ｂとの係止を解除する。そして、前述した矢印Ｓの逆向きにカバー３を回転する。こうして、カバー３を箱本体２から取り外す。
【００４３】
前述した箱本体２とカバー３とを嵌合させて組立られた電気接続箱１は、箱本体２に図示しない防水カバーなどが取り付けられる。そして、電気接続箱１は、取付部９が自動車のパネルなどに重ねられて、ボルトにより前記パネルに固定されて、自動車に装備される。こうして、電気接続箱１は、前述した自動車などに搭載されて、前記端子金具に取り付けられた電線が自動車に搭載される多種多様な電子機器に接続されて、これらの電子機器と前述した電気部品とを、予め定められるパターンにしたがって電気的に接続する。
【００４４】
本実施形態によれば、箱本体２とカバー３とを取り付ける際にこれらの回転中心をなす箱本体２とカバー３の一方の端に突起４と溝５を設け、箱本体２とカバー３とを嵌合する際に、突起４が溝５内に侵入するので、箱本体２とカバー３とが位置ずれすることを防止できる。このため、箱本体２とカバー３とを嵌合する際に、電気部品をカバー３で箱本体２に押圧するなどして、電気部品からの反力などにより、これらの箱本体２とカバー３とががたつくことを防止でき、これらの箱本体２とカバー３とを容易に嵌合することができる。
【００４５】
突起４が、箱本体２とカバー３とが重なる方向即ち矢印Ｋに沿って直線状に延びているので、突起４の溝５内に侵入する部分の長さが長くなって、箱本体２とカバー３とが位置ずれすることを確実に防止できる。したがって、箱本体２とカバー３とががたつくことを確実に防止でき、箱本体２とカバー３とをより容易に嵌合することができる。
【００４６】
突起４の先端部４ａに先細部１８が設けられ、溝５の先端部５ａに拡大部２１が設けられている。このため、箱本体２とカバー３とを嵌合する際に、これら箱本体２とカバー３とが若干位置ずれしても、図１７に示すように、先細部１８のテーパ面１９と拡大部２１のテーパ面２２とが当接して、これらの先細部１８と拡大部２１が、溝５内に突起４を案内する。このため、箱本体２とカバー３とを嵌合する際に、突起４が溝５内に確実に侵入して、箱本体２とカバー３とが位置ずれすることを確実に防止できる。したがって、箱本体２とカバー３とががたつくことをより確実に防止でき、箱本体２とカバー３とをより容易に嵌合することができる。
【００４７】
突起４が補強リブ１０に連なっている。このため、突起４の剛性を向上させることができ、溝５内に侵入した突起４が弾性変形などをして、箱本体２とカバー３とを嵌合する際に、これらが位置ずれすることを確実に防止できる。したがって、箱本体２とカバー３とががたつくことをより一層確実に防止でき、箱本体２とカバー３とをより一層容易に嵌合することができる。また、箱本体２即ち電気接続箱１の小型化を図ることができる。
【００４８】
前述した実施形態では、突起４と溝５が設けられた周壁７と第２の周壁１５の一方の係止突起８ａと一方の係止片１６ａとを中心として、カバー３を箱本体２に回転することで、カバー３を箱本体２に着脱している。しかしながら、本発明では、図１８に示すように、底壁６と天井壁１４とが平行な状態に、箱本体２とカバー３とを位置付けた後、矢印Ｋに沿って、カバー３と箱本体２とを互いに近づけて、箱本体２とカバー３とを互いに嵌合しても良い。
【００４９】
また、本発明では、図１９ないし図２１に示すように、周壁７即ち箱本体２に溝５を設け、第２の周壁１５即ちカバー３に突起４を設けても良い。なお、図１９ないし図２１において、前述した実施形態と同一部分には、同一符号を付して、説明を省略する。この場合も、前述した実施形態と同様に、箱本体２とカバー３とを嵌合する際に、突起４が溝５内に侵入するので、箱本体２とカバー３とが位置ずれすることを防止できる。このため、箱本体２とカバー３とを嵌合する際に、これらの箱本体２とカバー３とががたつくことを防止でき、これらの箱本体２とカバー３とを容易に嵌合することができる。
【００５０】
さらに、本発明では、先細部１８及び拡大部２１のテーパ面１９，２２を、図２２及び図２３に示すように、設けても良い。なお、図２２及び図２３において、前述した実施形態と同一部分には、同一符号を付して、説明を省略する。図２２及び図２３に示す場合では、テーパ面１９，２２を、溝５の互いに相対する一対の内壁に形成し、突起４の端面と周壁７，１５から立設した両側面とに亘って形成している。この場合も、前述した実施形態と同様に、テーパ面１９，２２が溝５内に突起４を案内して、箱本体２とカバー３とを嵌合する際に、突起４が溝５内に確実に侵入して、箱本体２とカバー３とが位置ずれすることを確実に防止できる。したがって、箱本体２とカバー３とががたつくことをより確実に防止でき、箱本体２とカバー３とをより容易に嵌合することができる。
【００５１】
また、本発明では、突起４は、前述した矢印Ｋに沿って直線状に延びていなくても良い。さらに、本発明では、先細部１８と拡大部２１を設けなくても良い。また、本発明では、突起４と補強リブ１０とが互いに連なっていなくても良い。
【００５２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５３】
【図１】本発明の一実施形態に係る電気接続箱の斜視図である。
【図２】図１に示された電気接続箱の箱本体からカバーを取り外した状態を示す斜視図である。
【図３】図１に示された電気接続箱の矢印ＩＩＩ方向からみた側面図である。
【図４】図１に示された電気接続箱の矢印ＩＶ方向からみた図である。
【図５】図２に示されたカバーの平面図である。
【図６】図２に示された箱本体の平面図である。
【図７】図５に示されたカバーの矢印ＶＩＩ方向からみた側面図である。
【図８】図５に示されたカバーの矢印ＶＩＩＩ方向からみた図である。
【図９】図６に示された箱本体の矢印ＩＸ方向からみた側面図である。
【図１０】図６に示された箱本体の矢印Ｘ方向からみた図である。
【図１１】図３中のＸＩ−ＸＩ線に沿う断面図である。
【図１２】図４中のＸＩＩ−ＸＩＩ線に沿う断面図である。
【図１３】図１２中のＸＩＩＩ−ＸＩＩＩ線に沿う断面図である。
【図１４】図２に示された箱本体の一方の係止突起とカバーの一方の係止片とを中心として、カバーを回転して箱本体に取り付ける状態を示す側面図である。
【図１５】図１４に示された状態の溝と突起との相対的な位置関係を示す断面図である。
【図１６】図１５に示された状態からカバーを箱本体に近づけた状態の溝と突起との相対的な位置関係を示す断面図である。
【図１７】図１５に示された突起に設けられたテーパ面と溝に設けられたテーパ面とが互いに当接した状態を示す断面図である。
【図１８】図１４にカバーを箱本体に取り付ける状態の他の例を示す側面図である。
【図１９】図１１に示された突起と溝の変形例を示す断面図である。
【図２０】図１２に示された突起と溝の変形例を示す断面図である。
【図２１】図１３に示された突起と溝の変形例を示す断面図である。
【図２２】図１３に示された突起と溝の他の変形例を示す断面図である。
【図２３】図２１に示された突起と溝の他の変形例を示す断面図である。
【符号の説明】
【００５４】
１  電気接続箱
２  箱本体
３  カバー
４  突起
４ａ  先端部
５  溝
５ａ  先端部
７  周壁
１０  補強リブ
１５  第２の周壁
１８  先細部
２１  拡大部
Ｋ  箱本体とカバーとが互いに重なる方向
【図１】
2005269861.tif 000003
【図２】
2005269861.tif 000004
【図３】
2005269861.tif 000005
【図４】
2005269861.tif 000006
【図５】
2005269861.tif 000007
【図６】
2005269861.tif 000008
【図７】
2005269861.tif 000009
【図８】
2005269861.tif 000010
【図９】
2005269861.tif 000011
【図１０】
2005269861.tif 000012
【図１１】
2005269861.tif 000013
【図１２】
2005269861.tif 000014
【図１３】
2005269861.tif 000015
【図１４】
2005269861.tif 000016
【図１５】
2005269861.tif 000017
【図１６】
2005269861.tif 000018
【図１７】
2005269861.tif 000019
【図１８】
2005269861.tif 000020
【図１９】
2005269861.tif 000021
【図２０】
2005269861.tif 000022
【図２１】
2005269861.tif 000023
【図２２】
2005269861.tif 000024
【図２３】
2005269861.tif 000025